(57)【要約】【課題】  長時間カメラ等を帯行しても首が痛くなったり、或いは肩が凝ったりしない吊具を提案する。【解決手段】  カプラー４を介して全体の形状がリング状に接続され得る条帯５の一端に、カプラーのプラグ部及びこのプラグ部を受けるソケット部の一方を、他端に他方を夫々止着し、一方、カプラー４の近傍における条帯５に断面が略Ｊ字形の吊具本体６及び条帯の長さ調節機構７を夫々止着すると共に、この条帯を、ザックを担ぐ人の背骨を通り背中に垂直な平面内でザック２を包囲するように、かつ、上記吊具本体６が逆Ｊ字形でザック背面の上端部に位置するように装着し、この吊具本体６にストラップを掛けてカメラ等の重量をザックの重量で支持する。【選択図】  図１
2014073236.tif 000002
【特許請求の範囲】
【請求項１】
カプラーを介して全体の形状がリング状に接続され得る条帯の一端に、カプラーのプラグ部及びこのプラグ部を受けるソケット部の一方を、他端に他方を夫々止着し、一方、カプラーの近傍における条帯に断面が略Ｊ字形の吊具本体及び条帯の長さ調節機構を夫々止着すると共に、この条帯を、ザックを担ぐ人の背骨を通り背中に垂直な平面内でザックを包囲するように、かつ、上記吊具本体が逆
Ｊ字形でザック背面の上端部に位置するように装着し、この吊具本体にストラップを掛けてカメラ等の重量をザックの重量で支持するようにした吊具。
【発明の詳細な説明】
【技術分野】
【０００１】
この発明は、カメラ等の吊具（以下単に吊具という）に係り、特に、首に掛るカメラ等の重さを軽減し得る吊具に関する。
【背景技術】
【０００２】
重い一眼レフカメラや野鳥観察用の大型の双眼鏡等をストラップを介して首に掛け、帯行することは一般的に行われている。
【発明の概要】
【発明が解決しようとする課題】
【０００３】
かかる場合、カメラ等の重量は幅の狭いストラップを介して直接首に掛るため、首が痛くなったり肩が凝ったりする、等の不都合がある。
【０００４】
そこで、この発明は、長時間カメラ等を帯行しても首が痛くなったり、或いは肩が凝ったりしない吊具を提案することを目的としている。
【課題を解決するための手段】
【０００５】
上記の目的を達成するため、請求項１に記載の発明は、カプラーを介して全体の形状がリング状に接続され得る条帯の一端に、カプラーのプラグ部及びこのプラグ部を受けるソケット部の一方を、他端に他方を夫々止着し、一方、カプラーの近傍における条帯に断面が略Ｊ字形の吊具本体及び条帯の長さ調節機構を夫々止着すると共に、この条帯を、ザックを担ぐ人の背骨を通り背中に垂直な平面内でザックを包囲するように、かつ、上記吊具本体が逆Ｊ字形でザック背面の上端部に位置するように装着し、この吊具本体にストラップを掛けてカメラ等の重量をザックの重量で支持するようにしたことを特徴とする。
【発明の効果】
【０００６】
上記のように構成された請求項１に記載の吊具は、図８に示すように、カメラの重量とザックの重さとが、両肩に掛るストラップの前後に振り分けられ、首には重さが掛らない。従って首が痛くなることはない。
【０００７】
また、吊具本体がストラップから受けるほぼ水平で前方に向かう力のベクトルと、条帯を介して下方に向かうザックの重量のベクトルの合成が吊具本体を斜め上方からザックに押し付けるので、条帯を長さ調節機構により確りとザックに締め付けておけば、条帯がザックの周りを回ってしまうことがなく、カメラ等の保持が安定である、等種々の効果を奏する。
【図面の簡単な説明】
【０００８】
【図１】吊具の構成及びザックへの装着の態様を示す側面図で、図面を明瞭にするため条帯とザックとの間に隙間を設けて示す。
【図２】吊具本体の平面図。
【図３】吊具本体の一部断面側面図。
【図４】長さ調節機構の平面図。
【図５】その一部断面側面図。
【図６】カプラーの分離状態を示す外観斜視図
【図７】カプラーの結合状態を示す外観斜視図
【図８】吊具の使用状態を示す斜視図。
【発明を実施するための形態】
【０００９】
カプラーの近傍における条帯に断面が略Ｊ字形の吊具本体及び条帯の長さ調節機構を夫々止着すると共に、この条帯を、ザックを担ぐ人の背骨を通り背中に垂直な平面内でザックを包囲するように、かつ、上記吊具本体が逆Ｊ字形でザック背面の上端部に位置するように装着し、この吊具本体にストラップを掛けてカメラ等の重量をザックの重量で支持するようにしたので、カメラの重量とザックの重さとが、両肩に掛るストラップの前後に振り分けられ、首には重さが掛らないようにした。
【実施例１】
【００１０】
以下、この発明の実施例を図面を参照して説明する。
図１において符号は吊具の全体を、符号２はザックを夫々示し、吊具１の構成を明確に図示するためザック２を白抜きで、かつ吊具１とザック２との間に実際には無い隙間３を設けて示す。
【００１１】
上記吊具１は、図１に示すように、カプラー４を介してリング状に接続、或いは形成され得る条帯５の近傍に、断面が略Ｊ字形の吊具本体６及び条帯の長さ調節機構（以下単に長さ調節機構という）７を夫々止着することにより構成されている。
【００１２】
上記条帯５は、例えば合成樹脂線を平織りにしたテープ、或いは皮革をテープ状にカットしたもので、通常カメラのストラップ等に用いられるものである。
【００１３】
また、吊具本体６は、図１乃至図３に示すように、断面が略Ｊ字形の硬質合成樹脂の成型品で、強度を確保するために厚くするか、或いは長さ方向に沿って突条を一体に形成すると良い。
【００１４】
この吊具本体６の比較的長い直線部分には、図２及び図３に示すように、スリット８、８が形成されており、図３に示すように、このスリット８、８を縫うように条帯５を通すことにより、摩擦係合を介して吊具本体６を条帯５に確りと止着している。
【００１５】
更にまた、長さ調節機構７は、図４及び図５に示すように、日の字形のバックル９に二重に重ねた条帯５を図５に示すように通し、図５の条帯５、５の上の条帯を左右に移動させることにより条帯５の長さを変えるもので、この長さ調節機構もカメラのストラップの長さ調節に用いられているので更に詳細な説明は省略する。
更に、前記カプラー４は、図６に示すように、条帯５の端部に装着されたプラグ部１１と、他の条帯の端部に装着されたソケット部１２とを有し、これらを図７に示すように嵌め合わせることにより条帯を接続するもので、これらは例えばカメラバッグの蓋やポケットのフラップを閉じる機構として周知であるから、更に詳細な説明は省略する。
【００１６】
上記のように構成されたこの発明の一実施例による吊具は、図１及び図８に示すように、条帯５を、ザックを担ぐ人の背骨を通り背中に垂直な平面内でザック２を包囲するように、かつ、上記吊具本体６が逆Ｊ字形でザック背面の上端部に位置するように装着して使用する。
【００１７】
この場合、長さ調節機構により条帯が確りとザックを締めるようにすると良い。
【００１８】
また、カメラのストラップを吊具本体６の湾曲部に引掛けるようにして使用する。
【００１９】
すると、カメラの重量とザックの重さとが、両肩に掛るストラップの前後に振り分けられ、首には重さが掛らないので、首が痛くなったり肩が凝ったりしないことは前記した通りである。
【符号の説明】
【００２０】
１  吊具
２  ザック
３  隙間
４  カプラー
５  条帯
６  吊具本体
７  長さ調節機構
８  スリット
９  バックル
１１  プラグ部
１２  ソケット部
１３  ストラップ
【図１】
2014073236.tif 000003
【図２】
2014073236.tif 000004
【図４】
2014073236.tif 000005
【図６】
2014073236.tif 000006
【図３】
2014073236.tif 000007
【図５】
2014073236.tif 000008
【図７】
2014073236.tif 000009
【図８】
2014073236.tif 000010